(57)【要約】【課題】液体噴射時のクロストークを防止して噴射特性を一定に揃えることが可能な液体噴射装置を提供する。【解決手段】同一単位周期Ｔ１における第１駆動信号ＣＯＭ１の第１ミドルドット駆動パルスＰ１ａの収縮部ｐ１３の始端と、第２駆動信号ＣＯＭ２の第２ミドルドット駆動パルスＰ２ａの収縮部ｐ１３の始端までの時間Δｔ１が、Ｔｃ／２以上、Ｔｃ以下に設定される。また、第１スモールドット駆動パルスＰ１ｂの予備部の始端と、第２スモールドット駆動パルスＰ２ｂの予備部の始端までの時間Δｔ２はＴｃ以上に設定される。そして、隣り合うノズルのうちの一方に対応する圧電振動子は第1駆動信号ＣＯＭ１によって駆動される一方、他方に対応する圧電振動子は第２駆動信号ＣＯＭ２によって駆動される。【選択図】図５
2012196902.tif 000002
【特許請求の範囲】
【請求項１】
液体を噴射する複数のノズル、各ノズルにそれぞれ連通する圧力室、及び、当該圧力室内の液体に圧力変動を生じさせる圧力発生手段を有し、当該圧力発生手段の駆動によって前記ノズルから液体を噴射させる液体噴射ヘッドと、
前記圧力発生手段を駆動して液体を噴射させるための駆動パルスを含む複数の駆動信号を所定の周期で発生可能な駆動信号生成手段と、
前記駆動信号生成手段から発生される駆動信号に含まれる駆動パルスを前記圧力発生手段に対して選択的に印加する制御を行う選択制御手段と、
を備え、
前記駆動信号生成手段は、第１駆動パルスを含む第１駆動信号と、同一周期内で前記第１駆動パルスよりも後に発生する第２駆動パルスを含む第２駆動信号と、を発生し、
前記第１駆動パルスの始端から前記第２駆動パルスの始端までの時間が、前記圧力室内の液体に生じる圧力振動の固有振動周期Ｔｃ以上に設定され、
前記選択制御手段は、隣り合うノズルのうちの一方に対応する圧力発生手段に対して前記第1駆動パルスを印加し、他方に対応する圧力発生手段に対して前記第２駆動パルスを印加することを特徴とする液体噴射装置。
【請求項２】
液体を噴射する複数のノズル、各ノズルにそれぞれ連通する圧力室、及び、当該圧力室内の液体に圧力変動を生じさせる圧力発生手段を有し、当該圧力発生手段の駆動によって前記ノズルから液体を噴射させる液体噴射ヘッドと、
前記圧力発生手段を駆動して液体を噴射させるための駆動パルスを含む複数の駆動信号を所定の周期で発生可能な駆動信号生成手段と、
前記駆動信号生成手段から発生される駆動信号に含まれる駆動パルスを前記圧力発生手段に対して選択的に印加する制御を行う選択制御手段と、
を備え、
前記駆動信号生成手段は、第１駆動パルスを含む第１駆動信号と、同一周期内で前記第１駆動パルスよりも後に発生する第２駆動パルスを含む第２駆動信号と、を発生し、
前記第１駆動パルスおよび前記第２駆動パルスは、それぞれ、前記圧力室を予備的に膨張させる膨張要素と、当該膨張要素によって膨張された圧力室を、前記ノズルから液体を噴射させるべく収縮させる収縮要素と、を有し、
前記第１駆動パルスの前記収縮要素の始端と前記第２駆動パルスの前記収縮要素の始端との時間がＴｃ／２以上、Ｔｃ以下に設定され、
前記選択制御手段は、隣り合うノズルのうちの一方に対応する圧力発生手段に対して前記第1駆動パルスを印加し、他方に対応する圧力発生手段に対して前記第２駆動パルスを印加することを特徴とする液体噴射装置。
【請求項３】
前記ノズルから噴射される際の液体の粘度が、８ｍＰａ・ｓ以上であることを特徴とする請求項１又は請求項２に記載の液体噴射装置。
【請求項４】
前記各ノズルの形成ピッチが、３００ｄｐｉ以上であることを特徴とする請求項１から請求項３の何れか一項に記載の液体噴射装置。
【発明の詳細な説明】
【技術分野】
【０００１】
本発明は、インクジェット式記録装置などの液体噴射装置に関し、特に、複数の駆動信号を用いて液体の噴射を制御可能な液体噴射装置に関するものである。
【背景技術】
【０００２】
液体噴射装置は、液体を液滴としてノズルから噴射可能な液体噴射ヘッドを備え、この液体噴射ヘッドから各種の液体を噴射する装置である。この液体噴射装置の代表的なものとして、例えば、インクジェット式記録ヘッド（以下、記録ヘッドという）を備え、この記録ヘッドのノズルから液体状のインクをインク滴として噴射させて記録を行うインクジェット式記録装置（プリンター）等の画像記録装置を挙げることができる。また、この他、液晶ディスプレイ等のカラーフィルターに用いられる色材、有機ＥＬ（Electro Luminescence）ディスプレイに用いられる有機材料、電極形成に用いられる電極材等、様々な種類の液体の噴射に液体噴射装置が用いられている。そして、画像記録装置用の記録ヘッドではインクを噴射し、ディスプレイ製造装置用の色材噴射ヘッドではＲ（Red）・Ｇ（Green）・Ｂ（Blue）の各色材の溶液を噴射する。また、電極形成装置用の電極材噴射ヘッドでは液状の電極材料を噴射し、チップ製造装置用の生体有機物噴射ヘッドでは生体有機物の溶液を噴射する。
【０００３】
上記のプリンターに搭載される記録ヘッドは、インクカートリッジ等のインク供給源からのインクを圧力室に導入し、圧力発生手段を作動させて圧力室内のインクに圧力変動を生じさせ、この圧力変動を利用して圧力室内のインクをノズルからインク滴として噴射するように構成されたものがある。このような記録ヘッドでは、記録画像の画質向上に対応するべく、複数のノズルが高密度（例えば、３００ｄｐｉ以上）に配設されている（例えば、特許文献１参照）。これに伴い、各ノズルにそれぞれ連通する圧力室の配列密度も高くなっている。
【先行技術文献】
【特許文献】
【０００４】
【特許文献１】特開２００９−２２６５８７号公報
【発明の概要】
【発明が解決しようとする課題】
【０００５】
上記のように圧力室が高い密度で形成されている構成では、隣り合う圧力室同士を区画する隔壁は非常に薄くなっている。そのため、例えば、あるノズルからインクを噴射する際に、圧力発生手段の駆動による圧力室内のインクの圧力変動に伴って、隔壁が隣の圧力室側に撓む可能性がある。この点に関し、噴射ノズルの両隣に位置するノズルでもそれぞれ同じタイミングで噴射が行われれば両隣の圧力室の内圧も高まるので、隔壁の撓みは抑えることができる。しかし、両隣のノズルの何れか一方でも噴射が行われない場合では、この非噴射ノズルの圧力室側に隔壁が撓む虞がある。そして、インク滴の噴射時に隔壁が隣の圧力室側に撓んでしまうと、その分、噴射ノズルに対応した圧力室に対して圧力損失が発生し、インク滴の飛翔速度の低下やインク滴量の減少等、インク滴の噴射特性が変化する虞がある。
【０００６】
このように、噴射ノズルにおいて、この噴射ノズルの両隣のノズルが同時に駆動される場合と、同時に駆動されない場合とで、圧力室内に発生する圧力変動の状態が異なり、これにより噴射ノズルにおける噴射特性が変動する、所謂クロストークが発生する問題があった。このような構成の液体噴射装置は、近年では、粘度が常温（例えば、２５℃）で８ｍＰａ・ｓ以上の液体（以下、高粘度液体）を噴射する用途にも用いられる場合がある。紫外線を照射することで硬化する紫外線硬化型インクや液晶等は高粘度液体の一種である。この高粘度液体を噴射する場合、粘度が常温で８ｍＰａ・ｓ未満の低粘度の液体を噴射する場合と比較して上記のクロストークが生じやすい傾向にある。
【０００７】
なお、このような問題は、インクを噴射する記録ヘッドを搭載したインクジェット式記録装置だけではなく、作動面を変形させることで圧力室内の液体に圧力変動を生じさせることによりノズルから液体を噴射させる他の液体噴射装置においても同様に存在する。
【０００８】
本発明は、このような事情に鑑みてなされたものであり、その目的は、液体噴射時のクロストークを防止して噴射特性を一定に揃えることが可能な液体噴射装置を提供することにある。
【課題を解決するための手段】
【０００９】
本発明の液体噴射装置は、上記目的を達成するために提案されたものであり、液体を噴射する複数のノズル、各ノズルにそれぞれ連通する圧力室、及び、当該圧力室内の液体に圧力変動を生じさせる圧力発生手段を有し、当該圧力発生手段の駆動によって前記ノズルから液体を噴射させる液体噴射ヘッドと、
前記圧力発生手段を駆動して液体を噴射させるための駆動パルスを含む複数の駆動信号を所定の周期で発生可能な駆動信号生成手段と、
前記駆動信号生成手段から発生される駆動信号に含まれる駆動パルスを前記圧力発生手段に対して選択的に印加する制御を行う選択制御手段と、
を備え、
前記駆動信号生成手段は、第１駆動パルスを含む第１駆動信号と、同一周期内で前記第１駆動パルスよりも後に発生する第２駆動パルスを含む第２駆動信号と、を発生し、
前記第１駆動パルスの始端から前記第２駆動パルスの始端までの時間が、前記圧力室内の液体に生じる圧力振動の固有振動周期Ｔｃ以上に設定され、
前記選択制御手段は、隣り合うノズルのうちの一方に対応する圧力発生手段に対して前記第１駆動パルスを印加し、他方に対応する圧力発生手段に対して前記第２駆動パルスを印加することを特徴とする。
【００１０】
上記構成によれば、第１駆動パルスの始端から前記第２駆動パルスの始端までの時間が固有振動周期Ｔｃ以上に設定され、隣り合うノズルのうちの一方に対応する圧力発生手段に対して第１駆動パルスが印加され、他方に対応する圧力発生手段に対して第２駆動パルスが印加されることで、隣接ノズル間において圧力室の内圧が最も高まるタイミングをずらすことが可能となる。したがって、同一周期で駆動されるノズルの数によらず、常に単独でインクを噴射する状態に近い状態で各ノズルからインクを噴射することになるので、噴射特性がばらつくことが抑制される。その結果、隣接するノズル間におけるクロストークを低減することができる。
【００１１】
また、本発明の液体噴射装置は、液体を噴射する複数のノズル、各ノズルにそれぞれ連通する圧力室、及び、当該圧力室内の液体に圧力変動を生じさせる圧力発生手段を有し、当該圧力発生手段の駆動によって前記ノズルから液体を噴射させる液体噴射ヘッドと、
前記圧力発生手段を駆動して液体を噴射させるための駆動パルスを含む複数の駆動信号を所定の周期で発生可能な駆動信号生成手段と、
前記駆動信号生成手段から発生される駆動信号に含まれる駆動パルスを前記圧力発生手段に対して選択的に印加する制御を行う選択制御手段と、
を備え、
前記駆動信号生成手段は、第１駆動パルスを含む第１駆動信号と、同一周期内で前記第１駆動パルスよりも後に発生する第２駆動パルスを含む第２駆動信号と、を発生し、
前記第１駆動パルスおよび前記第２駆動パルスは、それぞれ、前記圧力室を予備的に膨張させる膨張要素と、当該膨張要素によって膨張された圧力室を、前記ノズルから液体を噴射させるべく収縮させる収縮要素と、を有し、
前記第１駆動パルスの前記収縮要素の始端と前記第２駆動パルスの前記収縮要素の始端との時間がＴｃ／２以上、Ｔｃ以下に設定され、
前記選択制御手段は、隣り合うノズルのうちの一方に対応する圧力発生手段に対して前記第1駆動パルスを印加し、他方に対応する圧力発生手段に対して前記第２駆動パルスを印加することを特徴とする。
【００１２】
上記構成によれば、第１駆動パルスの収縮要素の始端と第２駆動パルスの収縮要素の始端との時間がＴｃ／２以上、Ｔｃ以下とされることにより、圧力室内の液体の圧力が最も高まるタイミングが互いにずれるので、クロストークが抑制される。また、各ノズルから噴射された液体の着弾対象上における着弾位置が著しくずれることが低減される。さらに、第１駆動パルスの収縮要素の始端と第２駆動パルスの収縮要素の始端との時間がＴｃ以下であることで、駆動信号の繰り返し周期が必要以上に長くなることが低減される。
【００１３】
また、本発明は、前記ノズルから噴射される際の液体の粘度が、８ｍＰａ・ｓ以上である場合に好適である。
即ち、８ｍＰａ・ｓ以上の高粘度液体自体の振動の減衰は、低粘度（８ｍＰａ・ｓ未満）の液体を比較して早いので、クロストークをより確実に低減することが可能となる。
【００１４】
さらに、本発明は、各ノズルの形成ピッチが、３００ｄｐｉ以上である場合に好適である。
【図面の簡単な説明】
【００１５】
【図１】プリンターの電気的な構成を説明するブロック図である。
【図２】プリンターの内部構成を説明する斜視図である。
【図３】記録ヘッドの要部断面図である。
【図４】ノズルプレートの構成を説明する平面図である。
【図５】駆動信号の構成を説明する波形図である。
【図６】ミドルドット駆動パルスの構成を説明する波形図である。
【図７】スモールドット駆動パルスの構成を説明する波形図である。
【発明を実施するための形態】
【００１６】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、本発明の液体噴射装置として、インクジェット式記録装置（以下、プリンター）を例に挙げて説明する。
【００１７】
図１は、プリンター１の電気的な構成を説明するブロック図である。また、図２は、プリンター１の内部構成を説明する斜視図である。
例示したプリンター１は、記録用紙、樹脂フィルム等の記録媒体９（着弾対象の一種）に向けて、液体の一種であるインクを噴射する。記録媒体９は、液体が噴射されて着弾する対象となる着弾対象の一種である。外部装置としてのコンピューターＣＰは、プリンター１と通信可能に接続されている。プリンター１に画像を印刷させるため、コンピューターＣＰは、その画像に応じた印刷データをプリンター１に送信する。
【００１８】
本実施形態におけるプリンター１は、搬送機構２、キャリッジ用移動機構３、駆動信号生成回路４（駆動信号生成手段の一種）、ヘッドユニット５、検出器群６、及び、プリンターコントローラー７を有する。搬送機構２は、記録媒体９を搬送方向に搬送させる。キャリッジ用移動機構３は、ヘッドユニット５が取り付けられたキャリッジを所定の移動方向（例えば紙幅方向）に移動させる。駆動信号生成回路４は、プリンターコントローラー７から送られた駆動信号の波形に関する波形データに基づいて、アナログの電圧信号を生成する。また、この電圧信号を電力増幅し、駆動信号ＣＯＭを生成する。本実施形態において駆動信号生成回路４は、第１駆動信号ＣＯＭ１を生成する第１駆動信号生成部４ａおよび第２駆動信号ＣＯＭ２を生成する第２駆動信号生成部４ｂを有している。これらの駆動信号ＣＯＭ１，ＣＯＭ２は、記録媒体９に対する印刷処理（記録処理或いは噴射処理の一種）を実行する際に記録ヘッド８の圧電振動子３２（図３参照）に印加されるものである。駆動信号は、図５に一例を示すように、繰り返し発生周期である単位期間Ｔ内に駆動パルスを少なくとも１つ以上含む信号である。ここで、駆動パルスとは、記録ヘッド８から液滴状のインクを噴射させるために、圧電振動子３２に所定の動作を行わせるものである。なお、各駆動信号ＣＯＭ１，ＣＯＭ２の詳細については後述する。
【００１９】
ヘッドユニット５は、記録ヘッド８およびヘッド制御部１１を有する。記録ヘッド８は、液体噴射ヘッドの一種であり、ノズル４３からインクを記録媒体９に向けて噴射させて、当該記録媒体９の所定の領域に着弾させてドットを形成する。このドットを複数マトリクス状に並べることで記録媒体９に画像等が記録される。ヘッド制御部１１は、プリンターコントローラー７からのヘッド制御信号に基づき、記録ヘッド８を制御する。なお、記録ヘッド８の構成については後で説明する。検出器群６は、プリンター１の状況を監視する複数の検出器によって構成される。この検出器群６には、後述するリニアエンコーダー２０や、記録ヘッド８近傍の温度を検出する温度センサー（図示せず）などが含まれる。
【００２０】
搬送機構２は、記録ヘッド８の走査方向に直交する方向（副走査方向）に記録媒体９を搬送させるための機構である。この搬送機構２は、搬送モーター１４と、搬送ローラー１５と、プラテン１６と、を有する。搬送ローラー１５は、記録媒体９を印刷可能な領域であるプラテン１６上まで搬送するローラーであり、搬送モーター１４によって駆動される。プラテン１６は、印刷中の記録媒体９を支持する。
【００２１】
プリンターコントローラー７は、プリンターの制御を行うための制御ユニットである。プリンターコントローラー７は、インターフェース部２４と、ＣＰＵ２５と、メモリー２６とを有する。インターフェース部２４は、外部装置であるコンピューターＣＰとプリンター１との間でデータの送受信を行う。ＣＰＵ２５は、プリンター全体の制御を行うための演算処理装置である。メモリー２６は、ＣＰＵ２５のプログラムを格納する領域や作業領域等を確保するためのものであり、ＲＡＭ、ＲＯＭ、ＮＶＲＡＭ等の記憶素子を有する。ＣＰＵ２５は、メモリー２６に格納されているプログラムに従って、各ユニットを制御する。また、プリンターコントローラー７は、コンピューターＣＰからの印刷データに基づき、記録媒体９上のどの位置にどのような大きさのドットを形成するかを示すドット形成データＳＩを生成し、当該ドット形成データＳＩをヘッド制御部１１に送信する。そして、ヘッド制御部１１は、プリンターコントローラー７からのドット形成データＳＩに基づき、駆動信号ＣＯＭ１，ＣＯＭ２に含まれる各駆動パルスを選択して圧電振動子３２に印加するための選択データを生成する。したがって、これらのプリンターコントローラー７及びヘッド制御部１１は、本発明における選択制御手段として機能する。なお、選択データの詳細については後述する。
【００２２】
図２に示すように、キャリッジ１２は、主走査方向に架設されたガイドロッド１９に軸支された状態で取り付けられており、キャリッジ用移動機構３の作動により、ガイドロッド１９に沿って記録媒体９の搬送方向に直交する主走査方向に往復移動するように構成されている。キャリッジ１２の主走査方向の位置は、リニアエンコーダー２０によって検出され、その検出信号、即ち、エンコーダーパルス（位置情報の一種）がプリンターコントローラー７のＣＰＵ２５に送信される。リニアエンコーダー２０は位置情報出力手段の一種であり、記録ヘッド８の走査位置に応じたエンコーダーパルスを、主走査方向における位置情報として出力する。これにより、プリンターコントローラー７はこのリニアエンコーダー２０からのエンコーダーパルスＥＰに基づいてキャリッジ１２（記録ヘッド８）の走査位置を認識しながら、記録ヘッド８による記録動作を制御することができる。そして、プリンター１は、このホームポジションから反対側の端部（フルポジション）へ向けてキャリッジ１２が移動する往動時と、フルポジションからホームポジション側にキャリッジ１２が戻る復動時との双方向で記録紙Ｓ上に文字や画像等を記録する。
【００２３】
上記リニアエンコーダー２０からのエンコーダーパルスＥＰは、プリンターコントローラー７に入力されている。プリンターコントローラー７は、このエンコーダーパルスＥＰからタイミングパルスＰＴＳ（Print Timing Signal）を生成し、このタイミングパルスＰＴＳに同期させて印刷データの転送や駆動信号ＣＯＭの発生等を行っている。そして、駆動信号生成回路４は、タイミングパルスＰＴＳに基づくタイミングで駆動信号ＣＯＭを出力する。また、プリンターコントローラー７は、タイミングパルスＰＴＳに基づいて、ラッチ信号ＬＡＴ等のタイミング信号を生成して記録ヘッド８に出力する。ラッチ信号ＬＡＴは、記録周期の開始タイミングを規定する信号である。したがって、駆動信号ＣＯＭの単位周期は、このラッチ信号ＬＡＴで区切られる区間である。
【００２４】
次に、図３を参照しながら記録ヘッド８の構成について説明する。
記録ヘッド８は、ケース２８と、このケース２８内に収納される振動子ユニット２９と、ケース２８の底面（先端面）に接合される流路ユニット３０等を備えている。上記のケース２８は、例えば、エポキシ系樹脂により作製され、その内部には振動子ユニット２９を収納するための収納空部３１が形成されている。振動子ユニット２９は、圧力発生手段の一種として機能する圧電振動子３２と、この圧電振動子３２が接合される固定板３３と、圧電振動子３２に駆動信号等を供給するためのフレキシブルケーブル３４とを備えている。圧電振動子３２は、圧電体層と電極層とを交互に積層した圧電板を櫛歯状に切り分けることで作製された積層型であって、積層方向（電界方向）に直交する方向に伸縮可能な縦振動モードの圧電振動子である。
【００２５】
流路ユニット３０は、流路基板３６の一方の面にノズルプレート３７を、流路基板３６の他方の面に振動板３８をそれぞれ接合して構成されている。この流路ユニット３０には、リザーバー３９（共通液体室またはマニホールドとも言う）と、インク供給口４０と、圧力室４１と、ノズル連通口４２と、ノズル４３と、が設けられている。そして、インク供給口４０から圧力室４１及びノズル連通口４２を経てノズル４３に至る一連のインク流路が、各ノズル４３に対応して形成されている。
【００２６】
図４は、ノズルプレート３７の構成を説明する図であり、（ａ）はノズルプレート３７の平面図、（ｂ）は（ａ）における領域Ｚの拡大図である。同図において横方向が、記録ヘッド８が記録媒体９に対して移動する主走査方向（相対移動方向）であり、縦方向が、記録媒体９の搬送方向、即ち、副走査方向である。つまり、主走査方向と副走査方向は互いに直交する方向となる。上記ノズルプレート３７は、ドット形成密度に対応したピッチ（例えば３６０ｄｐｉに相当する間隔（約７１μｍ））で複数（例えば、３６０個）のノズル４３が副走査方向に沿って列状に穿設された部材であり、本実施形態では、例えば、ステンレス鋼によって作製されている。また、ノズルプレート３７は、シリコン単結晶基板によって作製される場合もある。本実施形態におけるノズルプレート３７には、４つのノズル列Ａ〜Ｄ（ノズル群の一種）が主走査方向に沿って並べられている。
【００２７】
上記振動板３８は、支持板４５の表面に弾性体膜４６を積層した二重構造である。本実施形態では、金属板の一種であるステンレス板を支持板４５とし、この支持板４５の表面に樹脂フィルムを弾性体膜４６としてラミネートした複合板材を用いて振動板３８を作製している。この振動板３８には、圧力室４１の容積を変化させるダイヤフラム部４７が設けられている。また、この振動板３８には、リザーバー３９の一部を封止するコンプライアンス部４８が設けられている。
【００２８】
上記のダイヤフラム部４７は、エッチング加工等によって支持板４５を部分的に除去することで作製される。即ち、このダイヤフラム部４７は、圧電振動子３２の自由端部の先端面が接合される島部４９と、この島部４９を囲む薄肉弾性部５０と、からなる。上記のコンプライアンス部４８は、リザーバー３９の開口面に対向する領域の支持板４５を、ダイヤフラム部４７と同様にエッチング加工等によって除去することにより作製され、リザーバー３９に貯留された液体の圧力変動を吸収するダンパーとして機能する。
【００２９】
そして、上記の島部４９には圧電振動子３２の先端面が接合されているので、この圧電振動子３２の自由端部を伸縮させることで圧力室４１の容積を変動させることができる。この容積変動に伴って圧力室４１内のインクに圧力変動が生じる。そして、記録ヘッド８は、この圧力変動を利用してノズル４３からインク滴を噴射させる。
【００３０】
図５は、本実施形態における駆動信号生成回路４によって生成される第１駆動信号ＣＯＭ１および第２駆動信号ＣＯＭ２の構成を説明する波形図である。ここで、駆動信号の繰り返し周期である単位周期Ｔは、記録ヘッド８が記録媒体９に対して相対的に移動しながらインクの噴射を行う際に、画像の構成単位である画素の幅に対応する距離だけノズル４３が移動する時間に相当する。
【００３１】
本実施形態における単位周期Ｔは、２つの期間、具体的には、期間Ｔ１および期間Ｔ２に区切られている。そして、第１駆動信号ＣＯＭ１は、期間Ｔ１で発生される第１ミドルドット駆動パルスＰ１ａ（本発明における第１駆動パルスの一種）、および、期間Ｔ２で発生される第１スモールドット駆動パルスＰ１ｂ（本発明における第１駆動パルスの一種。）を含む。同様に、第２駆動信号ＣＯＭ２は、期間Ｔ１で発生される第２ミドルドット駆動パルスＰ２ａ（本発明における第２駆動パルスの一種）、および、期間Ｔ２で発生される第２スモールドット駆動パルスＰ２ｂ（本発明における第２駆動パルスの一種。）を含む。ミドルドット駆動パルスＰ１ａ，Ｐ２ａは、例えば十数ｐｌのインク滴を噴射するための駆動パルスであり、スモールドット駆動パルスＰ１ｂ，Ｐ２ｂは、例えば数ｐｌのインク滴を噴射するための駆動パルスである。ミドルドット駆動パルスは、スモールドット駆動パルスよりも相対的にインク滴の重量が大きくなればよく、ミドルドット駆動パルス、スモールドット駆動パルスは上記インク滴重量に限定されない。期間Ｔ１における第２駆動信号ＣＯＭ２の第２ミドルドット駆動パルスＰ２ａは、期間Ｔ１における第１駆動信号ＣＯＭ１の第１ミドルドット駆動パルスＰ１ａよりも少し遅れて発生する。同様に、期間Ｔ２における第２駆動信号ＣＯＭ２の第２スモールドット駆動パルスＰ２ｂは、期間Ｔ２における第１駆動信号ＣＯＭ１の第１スモールドット駆動パルスＰ１ｂよりも少し遅れて発生する。この点の詳細については後述する。
【００３２】
図６は、ミドルドット駆動パルスＰ１ａ，Ｐ２ａの構成を説明する波形図である。
尚、以降の記載から圧力室の容積を「膨張」、「収縮」という表現を用いて説明するが、「膨張」とは、直前に印加された波形要素によって所定の容積になっている圧力室に対して、次の波形要素を印加した際に、当該容積から大きい容積に変化した状態を意味する。また、「収縮」とは、直前に印加された波形要素によって所定の容積になっている圧力室に対して、次の波形要素を印加した際に、当該容積から小さい容積に変化した状態を意味する。また、「ホールド」とは、当該波形要素の中に電位の変化が存在せず、直前の波形要素によって所定の容積になった圧力室の状態を変化させないことを意味する。
【００３３】
図６に示すように、ミドルドット駆動パルスＰ１ａ，Ｐ２ａは、予備部ｐ１１（本発明における膨張要素の一種）と、ホールド部ｐ１２と、収縮部ｐ１３と、ホールド部ｐ１４（本発明における収縮要素の一種）と、復帰部ｐ１５とからなる。予備部ｐ１１は、基準電位ＶＢ（中間電位）から第１最高電位ＶＨ１まで一定勾配で電位がプラス（第１の極性）側に変化する波形要素、換言すれば、基準電位ＶＢよりも高い電位に向けて変化する波形要素であり、ホールド部ｐ１２は、予備部ｐ１１の終端電位である第１最高電位ＶＨ１で一定な波形要素である。また、収縮部ｐ１３は、第１最高電位ＶＨ１から第１最低電位ＶＬ１まで電位がマイナス（第２の極性）側に一定の勾配で変化する波形要素、換言すれば、基準電位ＶＢよりも低い電位に向けて変化する波形要素であり、ホールド部ｐ１４は、第１最低電位ＶＬ１で一定な波形要素であり、復帰部ｐ１５は、第１最低電位ＶＬ１から基準電位ＶＢまで電位を復帰させるための波形要素である。
【００３４】
上記のように構成されたミドルドット駆動パルスＰ１ａ，Ｐ２ａが圧電振動子３２に印加されると、まず、予備部ｐ１１によって圧電振動子３２が収縮する。この圧電振動子３２の収縮に伴って圧力室４１が基準電位ＶＢに対応する基準容積から第１最高電位ＶＨ１に対応する容積まで膨張する。この膨張により、ノズル４３におけるメニスカスが圧力室４１側に大きく引き込まれると共に、圧力室４１内にはリザーバー３９側からインク供給口４０を通じてインクが供給される。そして、この圧力室４１の膨張状態は、ホールド部ｐ１２の供給に伴って維持される。
【００３５】
ホールド部ｐ１２による膨張状態が維持された後、収縮部ｐ１３が圧電振動子３２に印加されてこれに応じて圧電振動子３２が伸長する。この圧電振動子３２の伸長に伴い、膨張している圧力室４１は第１最低電位ＶＬ１に対応する容積まで急激に収縮される。これにより、圧力室４１内のインクが加圧されて、ノズル４３メニスカスの中央部分が噴射側に押し出され、この押し出された部分が液柱のように伸びる。続いて、ホールド部ｐ１４により、圧力室４１の収縮状態が一定時間維持される。この間にメニスカスと液柱とが分離し、分離した部分が、ミドルドットに対応するインク滴としてノズル４３から噴射されて記録媒体９に向けて飛翔する。このインクの噴射によって減少した圧力室４１内のインク圧力が再び上昇するタイミングにあわせて復帰部ｐ１５が圧電振動子３２に印加される。この復帰部ｐ１５の印加により、圧力室４１は膨張することで圧力室４１が定常容積まで復帰し、圧力室４１内のインクの圧力変動（残留振動）が制振される。
【００３６】
図７は、スモールドット駆動パルスＰ１ｂ，Ｐ２ｂの構成を説明する波形図である。
同図に示すように、スモールドット駆動パルスＰ１ｂ，Ｐ２ｂは、予備部ｐ２１（本発明における膨張要素の一種）と、ホールド部ｐ２２（維持要素）と、第１収縮部ｐ２３（本発明における収縮要素の一種）と、中間ホールド部ｐ２４と、第２収縮部ｐ２５と、ホールド部ｐ２６と、復帰部ｐ２７とからなる。予備部ｐ２１は、基準電位ＶＢから第２最高電位ＶＨ２まで一定勾配で電位がプラス側に変化する波形要素、換言すれば、基準電位ＶＢよりも高い電位に向けて変化する波形要素であり、ホールド部ｐ２２は、予備部ｐ２１の終端電位である第２最高電位ＶＨ２で一定な波形要素である。また、第１収縮部ｐ２３は、第２最高電位ＶＨ２から基準電位ＶＢよりも低い電位に設定された中間電位ＶＭまで一定勾配で電位がマイナス側に変化する波形要素、換言すれば、基準電位ＶＢよりも低い電位に向けて変化する波形要素であり、中間ホールド部ｐ２４は、中間電位ＶＭで一定な波形要素である。さらに、第２収縮部ｐ２５は、中間電位ＶＭから第２最低電位ＶＬ２まで電位がマイナス側に一定の勾配で変化（下降）する波形要素であり、ホールド部ｐ２６は、第２最低電位ＶＬ２で一定な波形要素であり、復帰部ｐ２７は、第２最低電位ＶＬ２から基準電位ＶＢまで電位が復帰する波形要素である。
【００３７】
上記のように構成されたスモールドット駆動パルスＰ１ｂ，Ｐ２ｂが圧電振動子３２に印加されると、まず、予備部ｐ２１によって圧電振動子３２は収縮する。この収縮に伴って圧力室４１が基準電位ＶＢに対応する基準容積から第２最高電位ＶＨ２に対応する容積まで膨張する（第１の変化工程）。この膨張により、ノズル４３におけるメニスカスが圧力室４１側に大きく引き込まれると共に、圧力室４１内にはリザーバー３９側からインク供給口４０を通じてインクが供給される。予備部ｐ２１は、第１噴射駆動パルスの予備部ｐ１１の勾配よりも急な勾配で電位が変化し、これにより、メニスカスがより急激に引き込まれる。ここで、ノズル内周面から遠い位置にあるメニスカスの中央部は、圧力変化に追従してより高速に移動する一方、中央部よりもノズル内周面に近い部分（境界層）ほどその粘性が影響して圧力変化に追従し難いため、移動速度が中央部よりも遅くなる。これにより、第１噴射駆動パルスの場合では、予備部ｐ１１によってメニスカス全体が大きく引き込まれるのに対し、第２噴射駆動パルスの場合では、予備部ｐ２１によって主にメニスカス中央部がより大きく引き込まれる傾向となる。このようにすることで、後述する液柱を小さくすることができる。そして、この圧力室４１の膨張状態は、ホールド部ｐ２２の供給期間に同期して維持される（ホールド工程）。
【００３８】
ホールド部ｐ２２による膨張状態が維持された後、第１収縮部ｐ２３が圧電振動子３２に印加されてこれに応じて圧電振動子３２が伸長する。この圧電振動子３２の伸長に伴い、膨張している圧力室４１は中間電位ＶＭに対応する中間容積まで収縮される（第２の変化工程）。これにより、圧力室４１内のインクが加圧されて、ノズル４３におけるメニスカスの中央部分が噴射側に押し出され、この押し出された部分が液柱のように伸びる。続いて、ホールド部ｐ２４が供給され、第２の変化工程によっては変化させられた圧力室の容積が僅かな時間だけ維持される（維持工程）。この維持工程により、圧電振動子３２の伸長が一時的に停止される。この間では圧力室４１内のインクが加圧されないので、その分、液柱の伸びは抑えられる。これにより、第１の噴射駆動パルスの場合、即ち、途中で止めることなく圧力室４１を収縮容積まで一気に収縮させる場合よりも液柱の大きさが小さくなる。
【００３９】
ホールド部ｐ２４によるホールドの後、第２収縮部ｐ２５により圧電振動子３２が素早く伸長し、圧力室４１は、ホールド部ｐ２４によって容積変化が抑えられた状態からさらに収縮するまで加圧される（第３の変化工程）。これにより、メニスカス全体が噴射方向に急激に押し出され、液柱の後端部分が加速される。そして、メニスカスと液柱とが分離し、分離した部分が、スモールドットに対応するインク滴としてノズル４３から噴射されて記録媒体９に向けて飛翔する。第２収縮部ｐ２５の後、ホールド部ｐ２６により、第３の変化工程による圧力室４１の収縮状態が一定時間維持される。インクの噴射によって減少した圧力室４１内のインク圧力が再び上昇するタイミングにあわせて復帰部ｐ２７が圧電振動子３２に印加される。この復帰部ｐ２７の印加により、圧力室４１が予備部ｐ２１が印加される直前の容積に復帰するまで膨張する。
【００４０】
次に、上記プリンター１において、光硬化型インク等の高粘度のインク（高粘度液体の一種）を噴射するための構成について説明する。
ここで、上記プリンター１では、ノズル４３が３００ｄｐｉ以上の高密度で配設されているため、隣り合う圧力室４１同士を区画する隔壁が薄くなっている。そのため、例えば、あるタイミングでインクの噴射を行うノズル４３（噴射ノズル）において、この噴射ノズルの両隣のノズル４３でも同時にインクの噴射を行う場合と、両隣のノズル４３でインクの噴射を行わない場合（単独でインクを噴射する場合）とで、圧力室４１内に発生する圧力変動の状態が異なり、これにより噴射ノズルにおける噴射特性が変動する虞がある。特に、ノズル４３から噴射する際の粘度が常温（例えば、２５℃）で８ｍＰａ・ｓ以上の高粘度インク、例えば、上述した光硬化型インクを噴射する場合、クロストークがより生じやすい傾向にある。
【００４１】
このため、本発明に係るプリンターは、同一単位周期内で各ノズル４３からインクを噴射する場合において、隣接するノズル４３間で、圧力室４１内のインクの圧力が最も高まるタイミングを隣接するノズル４３間でずらすことにより、上記のクロストークを抑制している。
【００４２】
具体的には、同一単位周期Ｔ１における第１駆動信号ＣＯＭ１の第１ミドルドット駆動パルスＰ１ａと第２駆動信号ＣＯＭ２の第２ミドルドット駆動パルスＰ２ａに関し、第１ミドルドット駆動パルスＰ１ａの収縮部ｐ１３の始端と、第２ミドルドット駆動パルスＰ２ａの収縮部ｐ１３の始端までの時間Δｔ１に関し、圧力室４１内のインクに生じる振動のヘルムホルツ周期（固有振動周期）をＴｃとして、Ｔｃ／２≦Δｔ１≦Ｔｃに設定されている。なお、上記のＴｃは、一般的には次式（１）で表すことができる。
Ｔｃ＝２π√〔（Ｍｎ＋Ｍｓ）／（Ｍｎ×Ｍｓ×（Ｃｃ＋Ｃｉ））〕…（１）
上記式（１）において、Ｍｎはノズル４３におけるイナータンス（単位断面積あたりのインクの質量）、Ｍｓはインク供給口４０におけるイナータンス、Ｃｃは圧力室４１のコンプライアンス（単位圧力あたりの容積変化、柔らかさの度合いを示す。）、Ｃｉはインクのコンプライアンス（Ｃｉ＝体積Ｖ／〔密度ρ×音速ｃ２〕）である。
【００４３】
本実施形態において、図４（ｂ）に示すように、同一ノズル列を構成する各ノズル４３に対して通し番号（例えば、＃１〜＃３６０）が仮想的に付されており、例えば、奇数番号のノズル４３からのインクの噴射には第１駆動信号ＣＯＭ１が用いられる一方、偶数番号のノズル４３からのインクの噴射には第２駆動信号ＣＯＭ２が用いられる。なお、奇数番号のノズルおよび偶数番号のノズルに対する駆動信号ＣＯＭ１，２の対応関係は逆であってもよい。連続する奇数番号と偶数番号のノズル４３は隣り合っているので、隣り合うノズル４３間では、それぞれ異なる駆動信号によりインクが噴射されることになる。即ち、奇数番号のノズル４３からミドルドットに対応するインクを噴射する場合には、第１駆動信号ＣＯＭ１の第１ミドルドット駆動パルスＰ１ａが選択されて、当該奇数番号ノズル４３に対応する圧電振動子３２に印加され、偶数番号のノズル４３からミドルドットに対応するインクを噴射する場合には、第２駆動信号ＣＯＭ２の第２ミドルドット駆動パルスＰ２ａが選択されて、当該偶数番号ノズル４３に対応する圧電振動子３２に印加される。
【００４４】
ここで、圧力室４１の内圧は、当該圧力室４１に連通するノズル４３からインクを噴射すべく上記の収縮部ｐ１３が圧電振動子３２に印加されて当該圧力室４１の容積が収縮されたタイミング（即ち、収縮部ｐ１３の終端付近）で最も高まる。このため、隣接するノズル４３のうちの一方のノズル４３に対して第１ミドルドット駆動パルスＰ１ａを用いてインクを噴射させ、他方のノズル４３に対して第２ミドルドット駆動パルスＰ２ａを用いてインクを噴射させることで、圧力室４１内のインクの圧力が最も高まるタイミングが互いにずれる。即ち、Ｔｃ／２≦ｔ１とすることで、第１ミドルドット駆動パルスＰ１ａの収縮部ｐ１３による一方のノズル４３における圧力変動のピークが過ぎた後に、第２ミドルドット駆動パルスＰ２ａによって他方のノズル４３でのインクの噴射が行われる。このため、同一単位周期Ｔで駆動されるノズル４３の数によらず、常に単独でインクを噴射する状態に近い状態で各ノズル４３からインクを噴射することになるので、噴射特性がばらつくことが抑制される。その結果、隣接するノズル間におけるクロストークを低減することができる。また、Δｔ１をＴｃ以下とすることで、同一ノズル列（つまり、同一色のインクが割り当てられたノズル列）における各ノズル４３から噴射されたインクの記録媒体上における着弾位置が著しくずれることが低減される。その結果、記録画像等において着弾位置ずれに起因する画質の低下が抑制される。さらに、Δｔ１をＴｃ以下とすることで、単位周期Ｔが必要以上に長くなることが低減される。これにより、印刷処理の速度の低下が防止され、高周波駆動に寄与することが可能となる。
【００４５】
また、同一単位周期Ｔ１における第１駆動信号ＣＯＭ１の第１スモールドット駆動パルスＰ１ｂと第２駆動信号ＣＯＭ２の第２スモールドット駆動パルスＰ２ｂに関し、上記のミドルドット駆動パルスＰ１ａ，Ｐ２ａと比べて圧力室４１の内圧が最も高まるタイミングが明確でない。このため、第１スモールドット駆動パルスＰ１ｂの始端（予備部ｐ２１の始端）と、第２スモールドット駆動パルスＰ２ｂの始端（予備部ｐ２１の始端）までの時間Δｔ２はＴｃ以上（Δｔ２≧Ｔｃ）に設定される。このように、圧力室４１の内圧が最も高まるタイミングが明確でない駆動パルス同士についてはΔｔ２をＴｃ以上とすれば、隣接ノズル間において圧力室４１の内圧が最も高まるタイミングをずらすことが可能となる。加えて、高粘度インク自体の振動の減衰は、低粘度（８ｍＰａ・ｓ未満）の液体と比較して早いので、クロストークをより確実に低減することが可能となる。なお、高粘度インクと低粘度インクとでは、同一の流路を前提とした場合、振動の周期は変わらない。しかしながら、同一のタイミングで同じ大きさの圧力を加えた場合に、所定時間経過時における振動の振幅は高粘度インクの方が小さくなる。
【００４６】
なお、本発明は、上記した各実施形態に限定されるものではなく、特許請求の範囲の記載に基づいて種々の変形が可能である。
【００４７】
例えば、上記実施形態では、本発明における駆動パルスとして、図５および図６に例示したが、駆動パルスの形状や数、或いは駆動信号における各噴射駆動パルスの配置は例示したものに限られない。
また、上記実施形態では、本発明における第１駆動パルスと第２駆動パルスが同一の波形である構成を例示したが、第１駆動パルスと第２駆動パルスの波形が異なる場合においても本発明を適用することができる。この場合においても、第１駆動パルスと第２駆動パルスの波形には、上述したような予備部や収縮部は存在する波形であることを前提にすれば、圧力室内の圧力が最も高まるタイミングが明確であるとき、両パルスの収縮部ｐ１３の始端同士の時間Δｔ１を、Ｔｃ／２≦Δｔ１≦Ｔｃに設定することが望ましい。また、圧力室内の圧力が最も高まるタイミングが明確でないときは、両パルスの予備部の始端同士の時間Δｔ２をＴｃ以上に設定することが望ましい。
【００４８】
さらに、上記実施形態では、圧力発生手段として、所謂縦振動型の圧電振動子３２を例示したが、これには限られず、例えば、所謂撓み振動型の圧電素子を採用することも可能である。この場合、上記実施形態で例示した駆動パルスＰに関し、電位の変化方向、つまり上下が反転した波形となる。
また、圧力発生手段としては圧電素子には限らず、圧力室内に気泡を発生させる発熱素子や静電気力を利用して圧力室の容積を変動させる静電アクチュエーター等の各種圧力発生手段を用いる場合にも本発明を適用することができる。
【００４９】
そして、以上では、液体噴射装置の一種であるインクジェット式プリンター１を例に挙げて説明したが、本発明は、駆動パルスを用いて液体の噴射を行う液体噴射装置にも適用することができる。例えば、液晶ディスプレイ等のカラーフィルターを製造するディスプレイ製造装置，有機ＥＬ（Electro  Luminescence）ディスプレイやＦＥＤ（面発光ディスプレイ）等の電極を形成する電極製造装置，バイオチップ（生物化学素子）を製造するチップ製造装置，ごく少量の試料溶液を正確な量供給するマイクロピペットにも適用することができる。
【符号の説明】
【００５０】
１…プリンター，４…駆動信号生成回路，７…プリンターコントローラー，８…記録ヘッド，１１…ヘッド制御部，３２…圧電振動子，４１…圧力室，４３…ノズル，Ｓ…記録媒体
【図１】
2012196902.tif 000003
【図２】
2012196902.tif 000004
【図３】
2012196902.tif 000005
【図４】
2012196902.tif 000006
【図５】
2012196902.tif 000007
【図６】
2012196902.tif 000008
【図７】
2012196902.tif 000009